(57)【特許請求の範囲】
【請求項１】
給水路及び給湯路が接続された貯湯タンクと、該貯湯タンクに循環流路を介して接続され、該循環流路を通って循環する貯湯タンク内の湯水を加熱する熱源機とを備え、前記貯湯タンク内の湯水を前記給湯路を介して給湯対象場所に供給する給湯システムであって、
前記循環流路から導出された過圧防止用排水路に介装され、前記貯湯タンク内の圧力が所定値以上の圧力に上昇した場合に該過圧防止用排水路を開通するように構成された過圧逃し弁と、
前記貯湯タンク内の湯水の温度に応じた検出信号を出力する第１温度センサと、
前記過圧防止用排水路内の湯水の温度に応じた検出信号を出力する第２温度センサと、
前記過圧逃し弁が開弁状態に維持される異常が発生した場合に、該異常の発生を検知する過圧逃し弁異常検知手段と、
前記過圧逃し弁異常検知手段により前記異常の発生が検知された場合に、所定の異常対応処理を実行する異常対応処理手段とを備えており、
前記過圧逃し弁異常検知手段は、前記熱源機の作動により前記貯湯タンク内の湯水を加熱した後の該熱源機の作動停止状態で、前記第１温度センサの検出信号により示される温度検出値と、前記第２温度センサの検出信号により示される温度検出値との偏差の経時変化に基づいて前記異常の発生を検知するように構成されていることを特徴とする給湯システム。
【請求項２】
請求項１記載の給湯システムにおいて、
前記過圧逃し弁異常検知手段は、前記偏差の大きさが所定値以下となる状態が、所定時間以上継続した場合に、前記異常の発生を検知するように構成されていることを特徴とする給湯システム。
【請求項３】
請求項１又は２記載の給湯システムにおいて、
前記循環流路は、前記貯湯タンクの下部から前記熱源機に湯水を流す往路側流路と、前記熱源機から前記貯湯タンクの上部に湯水を流す復路側流路とを備えており、前記過圧防止用排水路は、前記復路側流路から導出されていることを特徴とする給湯システム。
【請求項４】
請求項１〜３のいずれか１項に記載の給湯システムにおいて、
前記第２温度センサは、前記過圧防止用排水路のうちの前記過圧逃し弁の上流側の湯水の温度に応じた検出信号を出力するように配置されていることを特徴とする給湯システム。
【請求項５】
請求項１〜４のいずれか１項に記載の給湯システムにおいて、
前記過圧逃し弁異常検知手段は、前記第１温度センサの検出信号により示される温度検出値が、所定値よりも高い温度であること必要条件として、前記異常の発生を検知するように構成されていることを特徴とする給湯システム。
【請求項６】
請求項１〜５のいずれか１項に記載の給湯システムにおいて、
外気温度に応じた検出信号を発生する第３温度センサをさらに備えており、
前記過圧逃し弁異常検知手段は、前記第３温度センサの検出信号により示される温度が所定値以下の温度であることを必要条件として、前記異常の発生を検知するように構成されていることを特徴とする給湯システム。
【請求項７】
請求項１〜６のいずれか１項に記載の給湯システムにおいて、
前記過圧逃し弁異常検知手段は、前記給水路から前記貯湯タンクへの給水と前記貯湯タンクから前記給湯路への出湯とが停止していることを必要条件として、前記異常の発生を検知するように構成されていることを特徴とする給湯システム。
【請求項８】
請求項１〜７のいずれか１項に記載の給湯システムにおいて、
前記異常対応処理手段が実行する前記異常対応処理は、前記熱源機の作動を禁止する処理と、前記異常が発生した旨を報知する処理とを含むことを特徴とする給湯システム。
【発明の詳細な説明】
【技術分野】
【０００１】
本発明は、貯湯タンクを有する給湯システムに関する。
【背景技術】
【０００２】
貯湯タンクと、該貯湯タンク内の湯水を該貯湯タンクとの間で循環させつつ加熱するヒートポンプ装置等の熱源機とを備え、貯湯タンクに接続された給湯路により、貯湯タンク内の湯水を任意の給湯対象場所に供給する給湯システムが従来より一般に知られている（例えば特許文献１を参照）。
【０００３】
この種の給湯システムでは、加熱された湯水により貯湯タンク内の圧力が過大なものとなるのを防止するために、一般に、過圧逃し弁が備えられる。該過圧逃し弁は、例えば、貯湯タンクと熱源機との間で湯水を循環させる循環流路の途中部から導出される過圧防止用排水路に装着され得る。
【先行技術文献】
【特許文献】
【０００４】
【特許文献１】特開２０１３−１１３５２２
【発明の概要】
【発明が解決しようとする課題】
【０００５】
上記過圧逃し弁は、正常状態では、上流側の水圧が所定値以上の高圧になった場合にだけ、開弁するものであるが、異物のかみこみ、あるいは、故障等によって、開弁状態に維持されてしまう場合がある。
【０００６】
このような場合には、貯湯タンク内の湯水を熱源機により加熱しても、その加熱された湯水が過圧逃し弁を介して無駄に漏出してしまう。
【０００７】
従って、該過圧逃がし弁が開弁状態に維持されるような異常が発生した場合には、それを適切に検知して、対策処置をとることが望まれる。
【０００８】
本発明はかかる背景に鑑みてなされたものであり、貯湯タンクと熱源機との間で湯水を循環させる循環流路から導出された過圧防止用排水路に介装された過圧逃し弁が開弁状態に維持される異常が発生した場合に、それを適切に検知することができる給湯システムを提供することを目的とする。
【課題を解決するための手段】
【０００９】
本発明の給湯システムは、給水路及び給湯路が接続された貯湯タンクと、該貯湯タンクに循環流路を介して接続され、該循環流路を通って循環する貯湯タンク内の湯水を加熱する熱源機とを備え、前記貯湯タンク内の湯水を前記給湯路を介して給湯対象場所に供給する給湯システムであって、
前記循環流路から導出された過圧防止用排水路に介装され、前記貯湯タンク内の圧力が所定値以上の圧力に上昇した場合に該過圧防止用排水路を開通するように構成された過圧逃し弁と、
前記貯湯タンク内の湯水の温度に応じた検出信号を出力する第１温度センサと、
前記過圧防止用排水路内の湯水の温度に応じた検出信号を出力する第２温度センサと、
前記過圧逃し弁が開弁状態に維持される異常が発生した場合に、該異常の発生を検知する過圧逃し弁異常検知手段と、 
前記過圧逃し弁異常検知手段により前記異常の発生が検知された場合に、所定の異常対応処理を実行する異常対応処理手段とを備えており、
前記過圧逃し弁異常検知手段は、前記熱源機の作動により前記貯湯タンク内の湯水を加熱した後の該熱源機の作動停止状態で、前記第１温度センサの検出信号により示される温度検出値と、前記第２温度センサの検出信号により示される温度検出値との偏差の経時変化に基づいて前記異常の発生を検知するように構成されていることを特徴とする（第１発明）。
【００１０】
ここで、前記過圧逃し弁が開弁状態に維持される異常が発生した場合には、前記熱源機の作動により前記貯湯タンク内の湯水を加熱した後の該熱源機の作動停止状態で、貯湯タンク内の加熱された湯水が継続的に前記過圧防止用排水路に流れることとなる。
【００１１】
この状態では、過圧防止用排水路内の湯水の温度は、貯湯タンク内の湯水の温度とほぼ同等の温度に継続的に保たれることとなる。
【００１２】
一方、前記過圧逃し弁が正常に動作する場合には、貯湯タンク内の圧力が所定値以上の高圧となる状態が解消すれば、該過圧逃し弁は閉弁状態となる。そして、該過圧逃し弁が閉弁状態になれば、過圧防止用排水路に貯湯タンク側から湯水が流入することがなくなるため、該過圧防止用排水路内の湯水の温度は、該湯水の放熱によって、貯湯タンク内の湯水との温度差が拡大していくように、低下していく。
【００１３】
そこで、本発明では、前記過圧逃し弁異常検知手段は、前記熱源機の作動により前記貯湯タンク内の湯水を加熱した後の該熱源機の作動停止状態で、前記第１温度センサの検出信号により示される温度検出値（貯湯タンク内の湯水の温度の検出値）と、前記第２温度センサの検出信号により示される温度検出値（過圧防止用排水路内の湯水の温度の検出値）との偏差の経時変化に基づいて前記異常の発生を検知する。
【００１４】
これにより、前記過圧逃し弁が開弁状態に維持される異常が発生した場合に、該異常の発生を適切に検知できる。また、その検知に応じた所定の異常対応処理を前記異常対応処理手段により実行できる。
【００１５】
上記第１発明では、より具体的には、前記過圧逃し弁異常検知手段は、前記偏差の大きさが所定値以下となる状態が、所定時間以上継続した場合に、前記異常の発生を検知するように構成されていることが好適である（第２発明）。
【００１６】
すなわち、前記偏差の大きさが所定値以下となる状態が、所定時間以上継続するということは、貯湯タンク内の湯水の温度の検出値と、過圧防止用排水路内の湯水の温度の検出値とが互いに近い温度に継続的に維持されていること、ひいては、貯湯タンク内の湯水が継続的に過圧防止用排水路に流入していることを意味する。
【００１７】
従って、第２発明によれば、前記過圧逃し弁が開弁状態に維持される異常の発生を適切に検知できる。
【００１８】
上記第１発明又は第２発明では、前記循環流路は、例えば、前記貯湯タンクの下部から前記熱源機に湯水を流す往路側流路と、前記熱源機から前記貯湯タンクの上部に湯水を流す復路側流路とを備える。この場合には、前記過圧防止用排水路は、前記復路側流路から導出されていることが好ましい（第３発明）。
【００１９】
ここで、加熱された湯水は、貯湯タンクの上部に溜まり易い。従って、前記過圧防止用排水路が前記復路側流路から導出されている場合には、前記過圧逃し弁が開弁状態に維持される異常が発生した場合に、前記過圧防止用排水路に貯湯タンク内の加熱された湯水が継続的に進入し易くなって、該過圧防止用排水路内の湯水の温度が低下し難くなる。
【００２０】
このため、第３発明によれば、前記過圧逃し弁が開弁状態に維持される異常の発生を高い信頼性で適切に検知できる。
【００２１】
上記第１〜第３発明では、前記第２温度センサの検出対象の温度は、前記過圧防止用排水路のうちの前記過圧逃し弁の上流側の湯水の温度と下流側の湯水の温度とのいずれであってもよい。
【００２２】
ただし、第２温度センサが、過圧逃し弁の下流側の湯水の温度に応じた検出信号を出力するように配置されている場合においては、該第２温度センサは、過圧逃し弁が開弁した場合にしか、過圧防止用排水路内の湯水の温度を検出することができない。このため、過圧逃し弁が開弁状態に維持される異常が発生した場合に、該第２温度センサの検出信号が安定するまでに時間がかかり易い。
【００２３】
また、過圧逃し弁が開弁した場合に、過圧防止用排水路内の湯水の温度を速やかに検出するためには、第２温度センサの配置箇所が制約を受け易い。
【００２４】
そこで、前記第２温度センサは、前記過圧防止用排水路のうちの前記過圧逃し弁の上流側の湯水の温度に応じた検出信号を出力するように配置されていることが好ましい（第４発明）。
【００２５】
この第４発明によれば、第２温度センサは、過圧逃し弁の開閉状態によらずに、過圧防止用排水路内の湯水の温度を定常的に検出することができる。過圧逃し弁が開弁状態に維持される異常の発生を、第２温度センサの検出信号により示される温度検出値を用いて検知することの信頼性を高めることができる。また、第２温度センサの配置箇所の自由度も高めることができる。
【００２６】
上記第１〜第４発明では、前記過圧逃し弁異常検知手段は、前記第１温度センサの検出信号により示される温度検出値が、所定値よりも高い温度であること必要条件として、前記異常の発生を検知するように構成されていることが好ましい（第５発明）。
【００２７】
すなわち、前記第１温度センサの検出信号により示される温度検出値が、所定値よりも高い温度である場合（貯湯タンク内の湯水の温度が比較的高い場合）には、前記過圧逃し弁が正常に動作する場合に、前記第２温度センサの検出信号により示される温度検出値が、前記第１温度センサの検出信号により示される温度検出値に比して低下しやすくなって、前記偏差の大きさが時間の経過に伴い拡大しやすくなる。従って、前記過圧逃し弁が正常に動作する場合と、該過圧逃し弁が開弁状態に維持される異常が発生した場合とで、前記偏差の経時変化の形態の相違が生じ易くなる。
【００２８】
従って、第５発明によれば、過圧逃し弁の異常の発生の検知の信頼性をより一層高めることができる。
【００２９】
上記第１〜第５発明では、外気温度に応じた検出信号を発生する第３温度センサをさらに備えており、前記過圧逃し弁異常検知手段は、前記第３温度センサの検出信号により示される温度が所定値以下の温度であることを必要条件として、前記異常の発生を検知するように構成されていることが好ましい（第６発明）。
【００３０】
すなわち、外気温度が比較的高い場合には、過圧逃し弁が正常に閉弁した状態であっても、該外気温度の影響で、前記過圧防止用排水路内の湯水の温度が低下し難くなる。そこで、第６発明では、前記過圧逃し弁異常検知手段を上記の如く構成した。これにより、過圧逃し弁の異常の発生の検知の信頼性をより一層高めることができる。
【００３１】
上記第１〜第６発明では、前記過圧逃し弁異常検知手段は、前記給水路から前記貯湯タンクへの給水と前記貯湯タンクから前記給湯路への出湯とが停止していることを必要条件として、前記異常の発生を検知するように構成されていることが好ましい（第７発明）。
【００３２】
これによれば、前記過圧逃し弁異常検知手段は、貯湯タンク内の温度状態が安定した状態での前記第１温度センサ及び第２温度センサの検出信号により示される温度検出値を用いて、過圧逃し弁の異常の発生を検知できる。このため、当該検知の信頼性をより一層高めることができる。
【００３３】
また、本発明に関連する参考発明の給湯システムは、給水路及び給湯路が接続された貯湯タンクと、該貯湯タンクに循環流路を介して接続され、該循環流路を通って循環する貯湯タンク内の湯水を加熱する熱源機とを備え、前記貯湯タンク内の湯水を前記給湯路を介して給湯対象場所に供給する給湯システムであって、
前記循環流路から導出された過圧防止用排水路に介装され、前記貯湯タンク内の圧力が所定値以上の圧力に上昇した場合に該過圧防止用排水路を開通するように構成された過圧逃し弁と、
前記貯湯タンク内の湯水の温度に応じた検出信号を出力する温度センサと、
前記過圧逃し弁が開弁状態に維持される異常が発生した場合に、該異常の発生を検知する過圧逃し弁異常検知手段と、
前記過圧逃し弁異常検知手段により前記異常の発生が検知された場合に、所定の異常対応処理を実行する異常対応処理手段とを備えており、
前記過圧逃し弁異常検知手段は、前記給水路から前記貯湯タンクへの給水と前記貯湯タンクから前記給湯路への出湯とが停止している状態での前記熱源機の作動中に、前記温度センサの検出信号により示される温度検出値と、前記熱源機の作動による前記貯湯タンク内の湯水の目標沸き上げ温度との差の経時変化に基づいて前記異常の発生を検知するように構成されていることを特徴とする（第８発明）。
【００３４】
ここで、前記過圧逃し弁が開弁状態に維持される異常が発生した場合には、前記給水路から前記貯湯タンクへの給水と前記貯湯タンクから前記給湯路への出湯とが停止している状態での前記熱源機の作動中に、該熱源機で加熱された湯水の一部が継続的に前記過圧防止用排水路に流れることとなる。
【００３５】
この状態では、貯湯タンク内の湯水の温度は、目標沸き上げ温度（熱源機の作動による貯湯タンク内の湯水の目標加熱温度）まで昇温しにくくなる。ひいては、貯湯タンク内の湯水の温度は、目標沸き上げ温度よりも低く、且つ、該目標沸き上げ温度との温度差が比較的大きなものとなる状態に継続的に維持されやすい。
【００３６】
一方、前記過圧逃し弁が正常に動作する場合には、前記熱源機の作動中に、貯湯タンク内の湯水の温度は、目標沸き上げ温度まで比較的速やかに昇温する。
【００３７】
そこで、本発明では、前記過圧逃し弁異常検知手段は、前記給水路から前記貯湯タンクへの給水と前記貯湯タンクから前記給湯路への出湯とが停止している状態での前記熱源機の作動中に、前記温度センサの検出信号により示される温度検出値と、前記熱源機の作動による前記貯湯タンク内の湯水の目標沸き上げ温度との差の経時変化に基づいて前記異常の発生を検知する。
【００３８】
これにより、前記過圧逃し弁が開弁状態に維持される異常が発生した場合に、該異常の発生を適切に検知できる。また、その検知に応じた所定の異常対応処理を前記異常対応処理手段により実行できる。
【００３９】
上記第８発明では、より具体的には、前記過圧逃がし弁異常検知手段は、前記目標沸き上げ温度から前記温度検出値を減算してなる値が所定値よりも大きいものとなる状態が所定時間以上継続した場合に、前記異常の発生を検知するように構成されていることが好適である（第９発明）。
【００４０】
すなわち、前記目標沸き上げ温度から前記温度検出値を減算してなる値が所定値よりも大きいものとなる状態が所定時間以上継続するということは、貯湯タンク内の湯水の温度の検出値が、目標沸き上げ温度よりも低く、且つ、該目標沸き上げ温度との温度差が比較的大きなものとなる状態に継続的に維持されていること、ひいては、過圧防止用排水路に加熱された湯水の一部が継続的に流入している可能性が高いことを意味する。
【００４１】
従って、第９発明によれば、前記過圧逃し弁が開弁状態に維持される異常の発生を適切に検知できる。
【００４２】
以上説明した第１〜第９発明では、前記異常対応処理手段が実行する前記異常対応処理は、前記熱源機の作動を禁止する処理と、前記異常が発生した旨を報知する処理とを含むことが好ましい（第１０発明）。
【００４３】
これによれば、過圧逃し弁の異常が発生している状態で、熱源機によって、貯湯タンクの湯水の加熱が行われるのが防止される。また、前記報知によって、ユーザは、過圧逃し弁の異常が発生したことを認識できるので、業者への修理依頼等を適切に行うことができる。
【図面の簡単な説明】
【００４４】
【図１】本発明の一実施形態の給湯システムの構成を示す図。
【図２】図１の給湯システムの制御処理に関する構成を示すブロック図。
【図３】図２に示す制御装置の処理を示すフローチャート。
【図４】図２に示す制御装置の処理を示すフローチャート。
【発明を実施するための形態】
【００４５】
本発明の一実施形態を図１〜図４を参照して以下に説明する。図１を参照して、本実施形態の給湯システム１は、貯湯タンク２と、第１熱源機３と、第２熱源機４とを備える。
【００４６】
第１熱源機３は、貯湯タンク２内の湯水を加熱する熱源機である。該第１熱源機３は、本実施形態では、例えばヒートポンプ装置である。以降、第１熱源機３をヒートポンプ装置３という。なお、本実施形態では、このヒートポンプ装置３が、本発明における熱源機に相当する。
【００４７】
ヒートポンプ装置３は、図示を省略する圧縮機、凝縮器、膨張機、蒸発器等が冷媒の循環路に配設された公知の構成のものである。該ヒートポンプ装置３は、貯湯タンク２との間で湯水を循環させる循環流路１０を介して貯湯タンク２に接続されている。該循環流路１０は、貯湯タンク２の下部をヒートポンプ装置３に接続する往路側流路１０ａと、貯湯タンク２の上部をヒートポンプ装置３に接続する復路側流路１０ｂとから構成されている。
【００４８】
往路側流路１０ａは、貯湯タンク２からヒートポンプ装置３に湯水を流す流路、復路側流路１０ｂは、ヒートポンプ装置３から貯湯タンク２に湯水を流す流路である。
【００４９】
そして、往路側流路１０ａ及び復路側流路１０ｂのいずれか一方、例えば往路側流路１０ａに循環ポンプ１１が介装されている。この循環ポンプ１１を作動させることで、貯湯タンク２内の湯水が、往路側流路１０ａ、ヒートポンプ装置３（詳しくは、ヒートポンプ装置３の凝縮器）、復路側流路１０ｂを順に経由して貯湯タンク２に還流するようになっている。
【００５０】
このとき、ヒートポンプ装置３は、往路側流路１０ａから供給される湯水と、圧縮機で加圧・昇温された冷媒との熱交換を凝縮器で行うことによって、該湯水を加熱する。
【００５１】
また、循環流路１０の往路側流路１０ａには、貯湯タンク２からヒートポンプ装置３に供給される湯水の温度を検出する温度センサ１２が装着され、復路側流路１０ｂには、ヒートポンプ装置３から貯湯タンク２に供給される湯水の温度を検出する温度センサ１３が装着されている。
【００５２】
また、循環流路１０から過圧防止用排水路１４が導出されており、この過圧防止用排水路１４に過圧逃し弁１５が介装されている。さらに、過圧防止用排水路１４のうちの過圧逃し弁１５の上流側の箇所には、該過圧防止用排水路１４内の湯水の温度に応じた検出信号を出力する温度センサ１６が装着されている。
【００５３】
本実施形態では、過圧防止用排水路１４（以下、単に排水路１４ということがある）は、往路側流路１０ａ及び復路側流路１０ｂのうちの貯湯タンク２の上部に接続された復路側流路１０ｂの貯湯タンク２寄りの部分から導出されている。従って、排水路１４は、復路側流路１０ｂの貯湯タンク２寄りの部分を介して貯湯タンク２の内部の上部に連通している。
【００５４】
上記過圧逃し弁１５は、貯湯タンク２内の湯水が加熱・膨脹によって過剰に高圧になるのを防止するための弁である。この過圧逃し弁１５は、貯湯タンク２内の湯水の圧力が所定値よりも低い状態では、ばねの付勢力により閉弁状態に保持され、当該圧力が所定値以上の高圧になると、ばねの付勢力に抗して開弁する（ひいては、排水路１４を開通させる）ように構成されている。
【００５５】
この過圧逃し弁１５の開弁により、貯湯タンク２内の湯水が排水路１４を通って外部に流出するようになっている。
【００５６】
なお、本実施形態では、上記温度センサ１６が本発明（第１発明）における第２温度センサに相当する。
【００５７】
貯湯タンク２は給湯用の湯水を蓄える蓄熱タンクであり、屋外等に配置されるケーシング２ａ内に収容される。この貯湯タンク２の上部の内部と、上部の外周面とには、それぞれ温度センサ１７，１８が所定の高さ位置で配置されている。これらの温度センサ１７，１８は、貯湯タンク２内の湯水の温度に応じた検出信号を出力する。
【００５８】
また、ケーシング２ａ内には、外気温度に応じた検出信号を出力する温度センサ１９が配置されている。
【００５９】
補足すると、貯湯タンク２内に配置される温度センサ１７の検出信号により示される温度検出値は、貯湯タンク２内の湯水の温度の直接的な検出値であるが、貯湯タンク２の外周面に配置される温度センサ１８の検出信号により示される温度検出値は貯湯タンク２の外周面の温度の検出値となる。ただし、定常状態では、温度センサ１８の検出信号により示される温度検出値は、貯湯タンク２内の湯水の温度にほぼ一致するものとなる。このため、温度センサ１７はもちろん、温度センサ１８も、貯湯タンク２内の湯水の温度に応じた検出信号を出力する温度センサと言える。
【００６０】
なお、本実施形態では、前記第１発明における第１温度センサに相当するものは、温度センサ１７であり、前記第８発明における温度センサに相当するものは、温度センサ１７，１８の両方である。
【００６１】
貯湯タンク２には、上記循環流路１０の他、給水路２１および給湯路３１が接続されている。
【００６２】
給水路２１は、その上流側が図示しない給水源に接続され、下流端が貯湯タンク２の下部に接続されている。そして、給水路２１には、給水圧を減圧する減圧弁２２と、給水路２１での水の逆流を防止する逆止弁２３とが上流側から順に介装されている。
【００６３】
また、給水路２１は、貯湯タンク２をバイパスさせて（貯湯タンク２を経由させずに）給湯路３１に給水し得るように、バイパス給水路２４を介して給湯路３１に接続されている。
【００６４】
該バイパス給水路２４には、該バイパス給水路２４での水の逆流を防止する逆止弁２５と、該バイパス給水路２４から給湯路３１に流れる水の流量（以降、バイパス給水流量という）を検出する流量センサ２６とが装着されている。
【００６５】
給湯路３１は、貯湯タンク２の上部から導出されている。そして、給湯路３１は、上記途中箇所Ｘ２（バイパス給水路２４との接続箇所）に介装された混合割合調整弁３２と、第２熱源機４とを順に経由した後、台所、洗面所、浴室等の給湯対象場所（湯の供給対象場所）に配置されるカラン等の給湯口（図示省略）に至るように配設されている。
【００６６】
上記混合割合調整弁３２は、貯湯タンク２から供給される湯水とバイパス給水路２４から供給される水とを混合してなる湯水を給湯路３１の下流側に流すと共に、貯湯タンク２から供給される湯水とバイパス給水路２４から供給される水との混合割合（流量比）を可変的に制御し得る弁機構である。該混合割合調整弁３２は、例えば電動式の三方弁により構成される。
【００６７】
なお、上記混合割合調整弁３２の代わりに、給湯路３１とバイパス給水路２４との接続箇所（途中箇所Ｘ２）の上流側の給湯路３１とバイパス給水路２４とにそれぞれ流量制御弁を介装し、これらの流量制御弁を制御することで、上記混合割合を可変的に制御することも可能である。
【００６８】
混合割合調整弁３２の上流側の給湯路３１には、貯湯タンク２から混合割合調整弁３２に供給される湯水の流量（以下、タンク出湯流量という）を検出する流量センサ３３が装着されている。
【００６９】
混合割合調整弁３２の下流側の給湯路３１のうち、第２熱源機４の上流側の途中箇所Ｘ３と第２熱源機４の下流側の途中箇所Ｘ４とは、バイパス給湯路３４を介して接続されている。このバイパス給湯路３４により、第２熱源機４の上流側の途中箇所Ｘ３から下流側の途中箇所Ｘ４に、該第２熱源機４をバイパスさせて（第２熱源機４を経由させずに）湯水を流すことが可能となっている。そして、バイパス給湯路３４には、これを開閉可能なバイパス制御弁３５が介装されている。
【００７０】
また、混合割合調整弁３２と上記途中箇所Ｘ３との間の給湯路３１には、混合割合調整弁３２の出口ポートから給湯路３１の下流側に流出する湯水の温度（以降、混合給湯温度という）を検出する温度センサ３６が装着されている。
【００７１】
さらに、上記途中箇所Ｘ４の下流側の給湯路３１には、給湯対象場所の給湯口に供給される湯水の温度を検出する温度センサ３７が装着されている。
【００７２】
第２熱源機４は、給湯路３１で給湯対象場所の給湯口に供給される湯水を必要に応じて加熱する熱源機である。この第２熱源機４は、本実施形態では、例えば燃焼式熱源機である。以降、第２熱源機４を燃焼式熱源機４という。
【００７３】
この燃焼式熱源機４は、ガスバーナ等のバーナ４１と、該バーナ４１の燃焼熱により加熱される熱交換器４２とを備える。そして、燃焼式熱源機４に導入された給湯路３１は、該燃焼式熱源機４の上流側から熱交換器４２を経由して下流側に至るように配設されている。
【００７４】
燃焼式熱源機４は、さらに、熱交換器４２の上流側から下流側に該熱交換器４２をバイパスさせて（該熱交換器４２を経由させずに）湯水を流すバイパス流路４３を備える。
【００７５】
バイパス流路４３は、燃焼式熱源機４の内部の給湯路３１のうち、熱交換器４２の上流側の途中箇所と熱交換器４２の下流側の途中箇所とを接続している。そして、熱交換器４２の上流側における給湯路３１とバイパス流路４３との接続箇所には、該接続箇所から熱交換器４２に流れる湯水の流量と、バイパス流路４３に流れる湯水の流量との比率（バイパス比）を調整するためのバイパスサーボ弁４５が介装されている。該バイパスサーボ弁４５は、例えば電動式の三方弁により構成される。
【００７６】
また、燃焼式熱源機４の内部の給湯路３１には、燃焼式熱源機４に供給される湯水の全体の流量をバイパスサーボ弁４５の上流側で検出する流量センサ４７と、熱交換器４２の下流側におけるバイパス流路４３との接続箇所の上流側にて熱交換器４２から流出する湯水の温度を検出する温度センサ４８と、熱交換器４２の下流側におけるバイパス流路４３との接続箇所の下流側に流れる湯水の温度を検出する温度センサ４９とが装着されている。
【００７７】
本実施形態の給湯システム１は、さらに、図２に示すように、該給湯システム１の運転制御を行う制御装置６０と、給湯システム１の運転に関する操作をユーザが行うためのリモコン６１とを備える。該制御装置６０及びリモコン６１は、有線又は無線により相互に通信可能である。
【００７８】
リモコン６１は、ユーザによる図示しない操作スイッチの操作、あるいは音声入力等に応じて、給湯システム１の給湯運転のオンオフ、給湯路３１で給湯口に供給する湯水の目標温度である目標給湯温度等の運転操作情報を制御装置６０に指示するように構成された端末機器である。該リモコン６１には、給湯システム１の異常情報等を含む各種情報を表示する表示器６１ａが備えられている。
【００７９】
制御装置６０は、ＣＰＵ、ＲＡＭ、ＲＯＭ、インターフェース回路等を含む電子回路ユニットにより構成される。なお、制御装置６０は、相互に通信可能な複数の電子回路ユニットにより構成されていてもよい。
【００８０】
制御装置６０には、前記した各センサ（温度センサ１２，１３，１６〜１９，３６，３７，４８，４９、流量センサ２６，３３，４７）の検出データが入力される共に、リモコン６１から運転操作情報が入力される。
【００８１】
そして、制御装置６０は、ヒートポンプ装置３、燃焼式熱源機４、循環ポンプ１１、混合割合調整弁３２、バイパス制御弁３５等の作動制御を行うことで、給湯システム１の運転制御を行う。
【００８２】
この場合、制御装置６０は、実装されるプログラムを実行することにより実現される機能、あるいは、ハードウェア構成により実現される機能として、過圧逃し弁１５が開弁状態に維持される異常（以降、過圧逃し弁開弁異常という）が発生した場合に該異常の発生を検知する過圧逃し弁異常検知部７１と、該過圧逃し弁開弁異常が検知された場合に所定の異常対応処理を実行する異常対応処理部７２とを備える。
【００８３】
なお、過圧逃し弁異常検知部７１及び異常対応処理部７２は、それぞれ、本発明における過圧逃し弁異常検知手段、異常対応処理手段に相当する。
【００８４】
次に、本実施形態の給湯システム１の作動を説明する。まず、給湯システム１の基本的な作動を説明する。
【００８５】
給湯システム１の電源投入状態（給湯運転等を行い得る状態）で、制御装置６０は、貯湯タンク２内の湯水を温度を、所定の温度（例えば４５℃、５５℃、６５℃等）以上の温度に保つように、ヒートポンプ装置３を適宜作動させる。
【００８６】
この場合、制御装置６０は、例えば、前記温度センサ１７の検出信号により示される温度（貯湯タンク２内の湯水の温度。以降、タンク内温度という）の検出値が上記所定の温度以下に低下する等の条件（貯湯タンク２内の湯水の沸き上げを行うための必要条件）が成立すると、該温度検出値が上記所定の温度よりも若干高い目標沸き上げ温度に昇温するまで、循環ポンプ１１を作動させつつ、ヒートポンプ装置３を作動させる。
【００８７】
なお、ヒートポンプ装置３の作動を開始する上記所定の温度と、上記目標沸き上げ温度とは、リモコン６１でユーザが設定する目標給湯温度等に応じて制御装置６０が可変的に設定する。
【００８８】
また、制御装置６０は、給湯対象場所のカランの開栓等により給水路２１及び給湯路３１の通水が開始されると、それを流量センサ２６，３３の検出信号に基づき検知する。そして、制御装置６０は、当該通水の検知に応じて、給湯対象場所の給湯口に供給される湯水の温度（給湯温度）を、リモコン６１で設定された目標給湯温度に一致もしくはほぼ一致させるための制御処理（温調制御処理）を実行する。
【００８９】
この制御処理では、制御装置６０は、貯湯タンク２内の温度センサ１７の検出信号により示されるタンク内温度の検出値が、リモコン６１で設定された目標給湯温度よりも高い場合には、バイパス給湯路３４のバイパス制御弁３５を開弁制御すると共に、燃焼式熱源機４の作動を停止した状態（バーナ４１の消火状態）で、温度センサ３６（又は温度センサ３７）の検出信号より示される温度検出値が、目標給湯温度に所定の温度範囲内でほぼ一致するように、混合割合調整弁３２をフィードバック制御する。なお、この場合、混合割合調整弁３２から下流側の給湯路３１に流れる湯水の大部分は、バイパス給湯路３４を通って下流側に流れる。
【００９０】
そして、給湯運転の継続等によって貯湯タンク２が湯切れ状態となって、タンク内温度の検出値が、目標給湯温度以下の温度に低下すると、燃焼式熱源機４の作動を開始させる（バーナ４１の燃焼運転を開始させる）。
【００９１】
さらに、制御装置６０は、温度センサ３７の検出データにより示される温度検出値が、目標給湯温度に所定の温度範囲内でほぼ一致するように、バイパス制御弁３５の開度と、燃焼式熱源機４のバイパスサーボ弁４５によるバイパス比と、バーナ４１の燃焼量とを制御する。なお、このとき、バイパス制御弁３５を閉弁制御してもよい。
【００９２】
次に、過圧逃し弁開弁異常の発生を検知するための処理について、図３及び図４のフローチャートを参照して説明する。
【００９３】
本実施形態では、制御装置６０は、ヒートポンプ装置３の作動により貯湯タンク２内の湯水を加熱した後の該ヒートポンプ装置３の作動停止状態（貯湯タンク２内の湯水の加熱を行う運転の停止状態）と、ヒートポンプ装置３の作動中（貯湯タンク２内の湯水の加熱を行う運転中）の状態とのそれぞれにおいて、図３のフローチャートに示す処理と、図４のフローチャートに示す処理と各々実行する。
【００９４】
まず、図３は、貯湯タンク２内の湯水を加熱した後のヒートポンプ装置３の作動停止状態において、制御装置６０が過圧逃し弁異常検知部７１及び異常対応処理部７２により実行する処理を示している。この場合、ＳＴＥＰ１〜１０の処理が、過圧逃し弁異常検知部７１により実行される処理、ＳＴＥＰ１１の処理が、異常対応処理部７２により実行される処理である。
【００９５】
なお、図３のフローチャートの処理を実行するヒートポンプ装置３の作動停止状態は、循環ポンプ１１の作動も停止している状態である。
【００９６】
ＳＴＥＰ１〜１０の処理のうち、ＳＴＥＰ１〜４の判断処理は、ヒートポンプ装置３の作動停止状態において前記過圧逃し弁開弁異常が発生したか否かを実質的に判断する処理（ＳＴＥＰ５〜９の処理）を実行する上で好適な必要条件が成立しているか否かを判断する処理である。
【００９７】
そして、過圧逃し弁異常検知部７１は、当該必要条件が成立している場合に、過圧逃し弁開弁異常が発生したか否かを実質的に判断する処理を実行する。
【００９８】
ＳＴＥＰ１，２では、過圧逃し弁異常検知部７１は、流量センサ２６の検出信号により示されるバイパス給水量の検出値と、流量センサ３３の検出信号により示されるタンク出湯流量の検出値とがそれぞれゼロであるか否かを判断する。
【００９９】
また、ＳＴＥＰ３では、過圧逃し弁異常検知部７１は、前記温度センサ１７の検出信号により示されるタンク内温度の検出値が、あらかじめ定められた所定温度（例えば４０℃）よりも高いか否かを判断する。
【０１００】
また、ＳＴＥＰ４では、過圧逃し弁異常検知部７１は、前記温度センサ１９の検出信号により示される外気温度の検出値が、所定温度（例えば３０℃）以下であるか否かを判断する。
【０１０１】
そして、過圧逃し弁異常検知部７１は、ＳＴＥＰ１〜４のいずれかの判断結果が否定的である場合には、ＳＴＥＰ５以降の処理を実行することなく、ＳＴＥＰ１からの処理を繰り返す。
【０１０２】
また、ＳＴＥＰ１〜４の全ての判断結果が肯定的である場合に、過圧逃し弁異常検知部７１は、ＳＴＥＰ５以降の処理を実行する。
【０１０３】
ＳＴＥＰ５では、過圧逃し弁異常検知部７１は、後述するＳＴＥＰ６の判断結果が肯定的となる状態の継続時間を計時するためのタイマを初期化する（計時時間をゼロとする）。
【０１０４】
次いで、ＳＴＥＰ６において、過圧逃し弁異常検知部７１は、温度センサ１７の検出信号により示されるタンク内温度の検出値と、温度センサ１６の検出信号により示される排水路１４内の湯水の温度（以降、排水路内温度という）の検出値との偏差（タンク内温度−排水路内温度）があらかじめ定められた所定値（例えば３℃）以下であるか否かを判断する。
【０１０５】
このＳＴＥＰ６の判断処理は、換言すれば、排水路内温度の検出値が、タンク内温度の検出値に十分に近い温度であるか否かを判断する処理である。
【０１０６】
なお、このＳＴＥＰ６の判断処理は、排水路内温度≧タンク内温度−３℃であるか否かの判断処理、あるいは、排水路内温度＋３℃≧タンク内温度であるか否かの判断処理と等価である。
【０１０７】
そして、過圧逃し弁異常検知部７１は、ＳＴＥＰ６の判断結果が否定的である場合には、ＳＴＥＰ１からの処理を繰り返す。
【０１０８】
一方、ＳＴＥＰ６の判断結果が肯定的である場合には、過圧逃し弁異常検知部７１は、上記タイマが作動中であるか否かをＳＴＥＰ７で判断する。ＳＴＥＰ７の判断結果が否定的である場合には、過圧逃し弁異常検知部７１は、ＳＴＥＰ８で当該タイマを起動した後、ＳＴＥＰ９の判断処理を実行する。
【０１０９】
また、ＳＴＥＰ７の判断結果が肯定的である場合には、過圧逃し弁異常検知部７１は、直ちにＳＴＥＰ９の判断処理を実行する。
【０１１０】
上記ＳＴＥＰ９では、過圧逃し弁異常検知部７１は、タイマの計時時間、すなわちＳＴＥＰ６の判断結果が肯定的となる状態の継続時間が、あらかじめ定められた所定時間（例えば６０分）に達したか否かを判断する。そして、ＳＴＥＰ９の判断結果が否定的である場合には、過圧逃し弁異常検知部７１は、ＳＴＥＰ６からの処理を継続する。
【０１１１】
また、ＳＴＥＰ９の判断結果が肯定的になると、過圧逃し弁異常検知部７１は、ＳＴＥＰ１０において、過圧逃し弁開弁異常が発生したことを検知する。
【０１１２】
そして、このように過圧逃し弁開弁異常が発生が過圧逃し弁異常検知部７１により検知された場合には、次に、異常対応処理部７２によりＳＴＥＰ１１の処理（異常対応処理）が実行される。
【０１１３】
この処理では、異常対応処理部７２は、ヒートポンプ装置３の以後の運転を禁止する。さらに、異常対応処理部７２は、過圧逃し弁開弁異常が発生した旨の報知出力を発生する。具体的には、異常対応処理部７２は、例えばリモコン６１の表示器６１ａに、過圧逃し弁開弁異常の発生を示すエラー情報を表示させる。これにより、ユーザは、過圧逃し弁開弁異常の発生を認識して、業者への連絡等を行うことができる。
【０１１４】
なお、過圧逃し弁開弁異常の発生の報知は、視覚的なものに限らず、音声等による聴覚的な報知であってもよい。また、ＳＴＥＰ１１の異常対応処理は、上記以外の処理を含んでいてもよい。
【０１１５】
以上の如く、過圧逃し弁異常検知部７１は、ヒートポンプ装置３の作動停止中に、ＳＴＥＰ１〜４の全ての判断結果が肯定的となる状況下で、ＳＴＥＰ６の判断結果が肯定的となる状態（タンク内温度の検出値と排水路内温度の検出値との偏差が所定値（３℃）以下となる状態）が、所定時間（６０分）以上継続した場合に、過圧逃し弁開弁異常が発生したことを検知する。
【０１１６】
ここで、過圧逃し弁開弁異常が実際に発生している場合には、貯湯タンク２内の加熱された湯水が、前記排水路１４を通って継続的に流出する。このため、排水路内温度は、タンク内温度に十分に近い温度に継続的に維持されるようになる。ひいては、ＳＴＥＰ６の判断結果が肯定的となる状態が継続する。
【０１１７】
特に、本実施形態では排水路１４が、高温の湯が溜まりやすい貯湯タンク２の上部に接続された復路側流路１０ｂから導出されているので、過圧逃し弁開弁異常が実際に発生している場合に、排水路内温度が高い温度に維持されやすくなる。ひいては、ＳＴＥＰ６の判断結果が肯定的となる状態が継続し易くなる。
【０１１８】
このため、過圧逃し弁開弁異常が実際に発生している場合には、高い確実性でＳＴＥＰ６の判断結果が肯定的となる状態が継続し、やがてＳＴＥＰ９の判断結果が肯定的になる。
【０１１９】
一方、過圧逃し弁１５が正常に動作している場合には、貯湯タンク２内の圧力が高い場合にだけ該過圧逃し弁１５が開弁するので、その開弁により貯湯タンク２内の圧力が低下すれば自動的に過圧逃し弁１５は閉弁する。このため、過圧逃し弁１５が長い時間にわたって開弁状態に維持されることが無い。
【０１２０】
そして、過圧逃し弁１５が閉弁状態になれば、貯湯タンク２内の湯水が排水路１４内に流入しなくなるので、排水路内温度は、放熱によって、タンク内温度との偏差の大きさが拡大していくように低下していく。
【０１２１】
このため、ＳＴＥＰ６の判断結果が肯定的になる状態は、ＳＴＥＰ９の判断結果が肯定的になる前に解消する。
【０１２２】
従って、ＳＴＥＰ５〜９の処理によって、過圧逃し弁開弁異常が発生したか否かを実質的に判断できることとなる。
【０１２３】
以上の如く、貯湯タンク２内の湯水の加熱後におけるヒートポンプ装置３の作動停止状態において、図３のフローチャートに示す処理によって、過圧逃し弁開弁異常が発生したか否かが検知される。
【０１２４】
この場合、ＳＴＥＰ５〜９の処理（過圧逃し弁開弁異常の発生の有無を実質的に判断する処理）では、タンク内温度の検出値と排水路内温度の検出値との偏差の経時的な変化に基づいて（具体的には、ＳＴＥＰ６の判断結果が肯定的となる状態が所定時間（６０分）以上、継続するか否かによって）、過圧逃し弁開弁異常が発生したか否かが判断される。このため、ヒートポンプ装置３の作動終了時のタンク内温度（沸き上げ温度）や、その後の該タンク内温度の変化パターンによらずに、過圧逃し弁開弁異常が発生したか否かを判断することができる。
【０１２５】
また、排水路内温度を検出する温度センサ１６は、排水路１４のうちの過圧逃し弁１５の上流側に配置されているので、該温度センサ１６は、過圧逃し弁１５の開閉状態によらずに、常時、排水路１４内の湯水の温度を検出する。このため、温度センサ１６の検出信号により示される排水路内温度の検出値の安定性が高い状態で、ＳＴＥＰ５〜９の処理を実行できる。ひいては、過圧逃し弁開弁異常が発生したか否かの判断結果の信頼性を高めることができる。
【０１２６】
また、ＳＴＥＰ５〜９の処理は、ＳＴＥＰ１、２の判断結果が肯定的となる状態、すなわち、給水路２１から貯湯タンク２への給水及び貯湯タンク２から給湯路３１への出湯が停止した状態で行われる。このため、タンク内温度が安定した状態で、ＳＴＥＰ５からの処理を実行できる。
【０１２７】
また、ＳＴＥＰ５〜９の処理は、ＳＴＥＰ３の判断結果が肯定的となる状態、すなわち、タンク内温度がある程度高い温度に昇温している状況で行われる。このため、ＳＴＥＰ５〜９の処理は、過圧逃し弁１５が正常である場合に、タンク内温度と排水路内温度との偏差の大きさが経時的に拡大していきやすい状況で、行われる。
【０１２８】
さらに、ＳＴＥＰ５〜９の処理は、ＳＴＥＰ４の判断結果が肯定的となる状態、すなわち、外気温度がさほど高くなく、ひいては、排水路内温度が外気温度の影響を受け難い状況で、行われる。
【０１２９】
以上のことから、ＳＴＥＰ５〜９の処理によって、過圧逃し弁開弁異常が発生したか否かを高い信頼性で判断することができる。
【０１３０】
次に、図４は、ヒートポンプ装置３の作動中（貯湯タンク２内の湯水の温度の加熱を行う運転中）において、制御装置６０が過圧逃し弁異常検知部７１及び異常対応処理部７２により実行する処理を示している。この場合、ＳＴＥＰ２１〜２９の処理が、過圧逃し弁異常検知部７１により実行される処理、ＳＴＥＰ３０の処理が、異常対応処理部７２により実行される処理である。
【０１３１】
ＳＴＥＰ２１〜２９の処理のうち、ＳＴＥＰ２１、２２の判断処理は、ヒートポンプ装置３の作動中において前記過圧逃し弁開弁異常が発生したか否かを実質的に判断する処理（ＳＴＥＰ２３〜２８の処理）を実行するための必要条件が成立しているか否かを判断する処理である。
【０１３２】
そして、過圧逃し弁異常検知部７１は、当該必要条件が成立している場合に、過圧逃し弁開弁異常が発生したか否かを実質的に判断する処理を実行する。
【０１３３】
ＳＴＥＰ２１，２２では、過圧逃し弁異常検知部７１は、流量センサ２６の検出信号により示されるバイパス給水量の検出値と、流量センサ３３の検出信号により示されるタンク出湯流量の検出値とがそれぞれゼロであるか否かを判断する。
【０１３４】
そして、過圧逃し弁異常検知部７１は、ＳＴＥＰ２１、２２のいずれかの判断結果が否定的である場合には、ＳＴＥＰ２３以降の処理を実行することなく、ＳＴＥＰ２１からの処理を繰り返す。また、ＳＴＥＰ２１，２２の両方の判断結果が肯定的である場合に、過圧逃し弁異常検知部７１は、ＳＴＥＰ２３以降の処理を実行する。
【０１３５】
従って、過圧逃し弁開弁異常が発生したか否かを実質的に判断する処理（ＳＴＥＰ２３〜２８の処理）は、給水路２１からの貯湯タンク２への給水及び貯湯タンク２から給湯路３１への出湯が停止している状態でのヒートポンプ装置３の作動中に行われる。
【０１３６】
ＳＴＥＰ２３では、過圧逃し弁異常検知部７１は、後述するＳＴＥＰ２４及びＳＴＥＰ２５の判断結果が肯定的となる状態の継続時間を計時するためのタイマを初期化する（計時時間をゼロとする）。
【０１３７】
次いで、ＳＴＥＰ２４，２５において、過圧逃し弁異常検知部７１は、目標沸き上げ温度と温度センサ１７の検出信号により示されるタンク内温度の検出値との偏差が所定値（例えば１０℃）よりも高いか否か、並びに、目標沸き上げ温度と温度センサ１８の検出信号により示される温度（以降、タンク表面温度という）の検出値との偏差（目標沸き上げ温度−タンク表面温度）が所定値（例えば１０℃）よりも高いか否かをそれぞれ判断する。
【０１３８】
なお、ＳＴＥＰ２４の判断処理は、タンク内温度＜目標沸き上げ温度−１０℃であるか否かの判断処理、あるいは、タンク内温度＋１０℃＜目標沸き上げ温度であるか否かの判断処理と等価である。同様に、ＳＴＥＰ２５の判断処理は、タンク表面温度＜目標沸き上げ温度−１０℃であるか否かの判断処理、あるいは、タンク表面温度＋１０℃＜目標沸き上げ温度であるか否かの判断処理と等価である。
【０１３９】
ここで、ＳＴＥＰ２４，２５のいずれかの判断結果が否定的となる状況は、タンク内温度の検出値とタンク表面温度の検出値とのいずれかが、目標沸き上げ温度に近い温度まで昇温した状況である。この場合には、過圧逃し弁異常検知部７１は、ＳＴＥＰ２１からの処理を繰り返す。
【０１４０】
また、ＳＴＥＰ２４，２５の両方の判断結果が肯定的となる状況は、タンク内温度の検出値とタンク表面温度の検出値との両方が、目標沸き上げ温度に近い温度まで昇温していない状況である。
【０１４１】
この場合には、過圧逃し弁異常検知部７１は、上記タイマが作動中であるか否かをＳＴＥＰ２６で判断する。ＳＴＥＰ２６の判断結果が否定的である場合には、過圧逃し弁異常検知部７１は、ＳＴＥＰ２７で当該タイマを起動した後、ＳＴＥＰ２８の判断処理を実行する。
【０１４２】
また、ＳＴＥＰ２６の判断結果が肯定的である場合には、過圧逃し弁異常検知部７１は、直ちにＳＴＥＰ２８の判断処理を実行する。
【０１４３】
上記ＳＴＥＰ２８では、過圧逃し弁異常検知部７１は、タイマの計時時間、すなわちＳＴＥＰ２４，２５の両方の判断結果が肯定的となる状態の継続時間が、あらかじめ定められた所定時間（例えば６０分）に達したか否かを判断する。そして、ＳＴＥＰ２８の判断結果が否定的である場合には、過圧逃し弁異常検知部７１は、ＳＴＥＰ２４からの処理を継続する。
【０１４４】
また、ＳＴＥＰ２８の判断結果が肯定的になると、過圧逃し弁異常検知部７１は、ＳＴＥＰ２９において、過圧逃し弁開弁異常が発生したことを検知する。
【０１４５】
そして、このように過圧逃し弁開弁異常が発生が過圧逃し弁異常検知部７１により検知された場合には、次に、異常対応処理部７２によりＳＴＥＰ３０の処理（異常対応処理）が実行される。
【０１４６】
この処理では、異常対応処理部７２は、ヒートポンプ装置３の作動を停止させ、さらに、ヒートポンプ装置３の以後の運転を禁止する。
【０１４７】
さらに、異常対応処理部７２は、過圧逃し弁開弁異常が発生した旨の報知出力を発生する。具体的には、異常対応処理部７２は、図３のＳＴＥＰ１１と同様に、リモコン６１の表示器６１ａに、過圧逃し弁開弁異常の発生を示すエラー情報を表示させる。これにより、ユーザは、過圧逃し弁開弁異常の発生を認識して、業者への連絡等を行うことができる。
【０１４８】
なお、ＳＴＥＰ３０での過圧逃し弁開弁異常の発生の報知は、視覚的なものに限らず、音声等による聴覚的な報知であってもよい。また、ＳＴＥＰ３０の異常対応処理は、上記以外の処理を含んでいてもよい。
【０１４９】
以上の如く、過圧逃し弁異常検知部７１は、ヒートポンプ装置３の作動中に、ＳＴＥＰ２１，２２の両方の判断結果が肯定的となる状況下（貯湯タンク２への給水及び貯湯タンク２からの出湯が停止している状態）で、ＳＴＥＰ２４，２５の両方の判断結果が肯定的となる状態（目標沸き上げ温度とタンク内温度との偏差、並びに、目標沸き上げ温度とタンク表面温度との偏差がいずれも所定値（１０℃）よりも高いものとなる状態）が、所定時間（６０分）以上継続した場合に、過圧逃し弁開弁異常が発生したことを検知する。
【０１５０】
ここで、過圧逃し弁開弁異常が実際に発生している場合には、ヒートポンプ装置３により加熱された湯水が、前記排水路１４を通って継続的に流出する。このため、貯湯タンク２内の湯水の温度が十分に昇温しにくいものとなる。ひいては、ＳＴＥＰ２４，２５の両方の判断結果が肯定的となる状態が継続し、やがて、ＳＴＥＰ２８の判断結果が肯定的になる。
【０１５１】
一方、過圧逃し弁１５が正常に動作している場合には、前記した通り、過圧逃し弁１５が長い時間にわたって開弁状態に維持されることが無い。
【０１５２】
そして、過圧逃し弁１５が閉弁状態となっておれば、加熱された湯水が排水路１４を通って流出することが無いので、貯湯タンク２内の湯水の温度は、ヒートポンプ装置３による加熱によって、円滑に、目標沸き上げ温度まで昇温していく。
【０１５３】
このため、ＳＴＥＰ２４，２５の両方の判断結果が肯定的になる状態は、ＳＴＥＰ２８の判断結果が肯定的になる前に解消する。
【０１５４】
従って、ＳＴＥＰ２３〜２８の処理よって、過圧逃し弁開弁異常が発生したか否かを実質的に判断できることとなる。
【０１５５】
以上の如く、ヒートポンプ装置３の作動中（貯湯タンク２内の湯水の加熱を行う運転中）において、図４のフローチャートに示す処理によって、過圧逃し弁開弁異常が発生したか否かが検知される。
【０１５６】
この場合、ＳＴＥＰ２３〜２８の処理（過圧逃し弁開弁異常の発生の有無を実質的に判断する処理）では、目標沸き上げ温度とタンク内温度の検出値との偏差、並びに、目標沸き上げ温度とタンク表面温度の検出値との偏差の経時的な変化に基づいて（具体的には、ＳＴＥＰ２４，２５の両方の判断結果が肯定的となる状態が所定時間（６０分）以上、継続するか否かによって）、過圧逃し弁開弁異常が発生したか否かが判断される。このため、目標沸き上げ温度によらずに、過圧逃し弁開弁異常が発生したか否かを適切に判断することができる。
【０１５７】
なお、本発明は、前記した実施形態に限定されるものではない。以下に、前記実施形態の変形態様をいくつか説明する。
【０１５８】
前記実施形態では、図３の処理において、ＳＴＥＰ１〜４の全ての判断結果が肯定的となることを必要条件として、ＳＴＥＰ５〜９の処理（過圧逃し弁開弁異常の発生の有無を実質的に判断する処理）を実行した。ただし、ＳＴＥＰ１，２、あるいは、ＳＴＥＰ３、あるいは、ＳＴＥＰ４のいずれの判断処理を省略することも可能である。
【０１５９】
また、ＳＴＥＰ６の処理では、温度センサ１７により検出されるタンク内温度の代わりに、例えば温度センサ１８により検出されるタンク表面温度（≒タンク内温度）を使用してもよい。
【０１６０】
また、前記実施形態では、図４のＳＴＥＰ２３〜２８の処理（（過圧逃し弁開弁異常の発生の有無を実質的に判断する処理）において、タンク内温度の検出値と、タンク表面温度の検出値との両方を使用した（ＳＴＥＰ２４，２５）。ただし、ＳＴＥＰ２４，２５のいずれかの判断処理を省略してもよい。
【０１６１】
また、図３のＳＴＥＰ１，２の判断処理、並びに、図４のＳＴＥＰ２１，２２の判断処理に関し、例えば給水路２１のうちの途中箇所Ｘ１の上流側で流量を検出する流量センサ、あるいは、混合割合調整弁３２から下流側の給湯路３１に流出する流量を検出する流量センサを備えた場合には、該流量センサにより流量の検出値がゼロであるか否かの判断処理を、ＳＴＥＰ１，２の判断処理、並びに、図４のＳＴＥＰ２１，２２の判断処理の代わりに行うようにしてもよい。
【０１６２】
また、前記実施形態では、第１熱源機３がヒートポンプ装置であり、第２熱源機４が燃焼式熱源機である給湯システム１について説明したが、第１熱源機３、第２熱源機４は、前記実施形態と異なる種類の熱源機であってもよい。
【符号の説明】
【０１６３】
１…給湯システム、２…貯湯タンク、３…ヒートポンプ装置（熱源機）、１０…循環流路、１０ｂ…復路側流路、１４…過圧防止用排水路、１５…過圧逃し弁、１６…温度センサ（第２温度センサ）、１７，１８…温度センサ（第１温度センサ）、１９…温度センサ（第３温度センサ）、７１…過圧逃し弁異常検知部（過圧逃し弁異常検知手段）、７２…異常対応処理部（異常対応処理手段）。
【図１】
0006502722.tif 000002
【図２】
0006502722.tif 000003
【図３】
0006502722.tif 000004
【図４】
0006502722.tif 000005